(57)【要約】      （修正有）【課題】会員の適正な駐輪状況の把握を行うとともに、店内における会員の流れを把握し、売り場の配置に利用できるような駐輪券発行システムおよび駐輪情報活用システムを提供する。【解決手段】駐輪場装置１は、入場の際、駐輪場の入口で会員カードまたは会員ＩＤを入力するとともに、入力時の時間を入場時刻として取得する入口側入出力装置３と、入口入力装置３よりの入力に基づき、少なくとも会員ＩＤ、入場時刻および利用日を印字した駐輪券を発行する発券装置５と、退場の際、駐輪場の出口で駐輪券より会員ＩＤを入力するとともに、入力時の時間を退場時刻として取得し、かつ、駐輪時間を表示する出口側入出力装置６と、を備え、また、売り場端末１１は、利用者が立ち寄って買い物をした際、会員カードまたは駐輪券より会員ＩＤを読取るとともに、精算時の精算情報、売り場ＩＤおよび売り場立寄り時刻を取得するレジ１１ａ、１１ｂ、１１ｃを備えた。【選択図】図１
2005128957.tif 000002
【特許請求の範囲】
【請求項１】
駐輪場装置の駐輪情報および売り場端末の情報を集中的に管理する集中管理装置を備えた駐輪券発行システムであって、
前記駐輪場装置は、
利用者が自転車の入場の際、駐輪場の入口で会員カードまたは手入力により会員ＩＤを入力するとともに、入力時の時間を入場時刻として取得する入口側入出力装置と、
前記入口入力装置よりの入力に基づき、少なくとも前記会員ＩＤ、入場時刻および利用日を印字した駐輪券を発行する発券装置と、
利用者が自転車の退場の際、駐輪場の出口で前記駐輪券より会員ＩＤを入力するとともに、入力時の時間を退場時刻として取得し、かつ、駐輪時間を表示する出口側入出力装置と、を備え、
また、前記売り場端末は、
利用者が立ち寄って買い物をした際、前記会員カードまたは駐輪券より前記会員ＩＤを読取るとともに、精算時の精算情報、売り場ＩＤおよび売り場立寄り時刻を取得するレジを備えた、
ことを特徴とする駐輪券発行システム。
【請求項２】
上記入口側入出力装置には、会員以外の同伴者用の駐輪券の発券手段が設けられていることを特徴とする請求項１に記載の駐輪券発行システム。
【請求項３】
駐輪場装置の駐輪情報および売り場端末の情報を集中的に管理する集中管理装置を備えた駐輪情報活用システムであって、
前記駐輪場装置は、
利用者が自転車の入場の際、駐輪場の入口で会員カードまたは手入力により会員ＩＤを入力するとともに、入力時の時間を入場時刻として取得する入口側入出力装置と、
前記入口入力装置よりの入力に基づき、少なくとも前記会員ＩＤ、入場時刻および利用日を印字した駐輪券を発行する発券装置と、
利用者が自転車の退場の際、駐輪場の出口で前記駐輪券より会員ＩＤを入力するとともに、入力時の時間を退場時刻として取得し、かつ、駐輪時間を表示する出口側入出力装置と、を備え、
また、前記売り場端末は、
利用者が立ち寄って買い物をした際、前記会員カードまたは駐輪券より前記会員ＩＤを読取るとともに、精算時の精算情報、売り場ＩＤおよび売り場立寄り時刻を取得するレジを備え、
さらに、前記集中管理装置は、
前記入場および退場時刻より前記駐輪時間を算出して前記出口側入出力装置に送信するとともに、前記入場時刻、退場時刻、売り場ＩＤおよび売り場立寄り時刻を集中して管理し、かつ、前記利用日ごとに、前記会員ＩＤ別に、前記時刻にてソートし、入場から退場までに立寄った売り場ＩＤおよび時刻を管理する中央処理装置を備えた、
ことを特徴とする駐輪情報活用システム。
【発明の詳細な説明】
【技術分野】
【０００１】
本発明は、特に、駐輪券を発行するとともに、顧客の流れを把握するため前記駐輪券の発行情報を活用する駐輪券発行システムおよび駐輪情報活用システムに関する。
【背景技術】
【０００２】
従来、駐輪場や駐車場の入退場管理を目的としたシステムとしては、例えば、退場時に所要時間や環境等によって異なる課金を算出して徴収するような「駐車場及び駐車場運営支援システム」が知られている（例えば、特許文献１参照）。
【０００３】
同様に、自転車駐車場の個人情報登録と利用契約とを処理するとともに登録カード発行と契約カード及び契約シール発行を行い、かつ、出入口のゲートを設けて利用者の利便性を確保したようなシステムが知られている（例えば、特許文献２参照）。
【０００４】
しかしながら、上記の特許文献１にあっては、同一構内に多数の駐車ますが形成されている駐車場、あるいは多層構造の駐車場など、駐車ますの環境によって課金が異なる場合には有効なものの、問屋やアスレチッククラブなどの固定客や会員などを対象とする駐車システムとしては不向きであった。
【０００５】
また、特許文献２にあっては、入退場ゲートを設けるなど、設備にお金が掛かるという問題があった。
【０００６】
近年は、利用客の利便性を考え、前記問屋やアスレチッククラブを駅近辺に設ける傾向にあるが、「チョッと駅前で買い物」といった会員以外の利用や、会員であっても買い物を目的としない不正駐輪、すなわち、駅から電車を利用するために駐輪するような傾向が多く見受けられるようになり、実際に買い物で駐輪場を使用とする会員が駐輪できない事態も発生するという問題があった。
【特許文献１】特開２００１−２７３５３１号公報
【特許文献２】特開２００１−１５５１９９号公報
【発明の開示】
【発明が解決しようとする課題】
【０００７】
本発明は、上記の問題点に着目してなされたものであり、会員の適正な駐輪状況の把握を行うとともに、店内における会員の「流れ」を把握し、売り場の配置に利用できるような駐輪券発行システムおよび駐輪情報活用システムを提供することを課題とする。
【課題を解決するための手段】
【０００８】
請求項１に記載の駐輪券発行システムは、駐輪場装置の駐輪情報および売り場端末の情報を集中的に管理する集中管理装置を備えた駐輪券発行システムであって、前記駐輪場装置は、利用者が自転車の入場の際、駐輪場の入口で会員カードまたは手入力により会員ＩＤを入力するとともに、入力時の時間を入場時刻として取得する入口側入出力装置と、前記入口入力装置よりの入力に基づき、少なくとも前記会員ＩＤ、入場時刻および利用日を印字した駐輪券を発行する発券装置と、利用者が自転車の退場の際、駐輪場の出口で前記駐輪券より会員ＩＤを入力するとともに、入力時の時間を退場時刻として取得し、かつ、駐輪時間を表示する出口側入出力装置と、を備え、また、前記売り場端末は、利用者が立ち寄って買い物をした際、前記会員カードまたは駐輪券より前記会員ＩＤを読取るとともに、精算時の精算情報、売り場ＩＤおよび売り場立寄り時刻を取得するレジを備えた、ことを特徴とする。
また、入口側入出力装置には、会員以外の同伴者用の駐輪券の発券手段を設けるようにできる。
請求項３に記載の駐輪情報活用システムは、駐輪場装置の駐輪情報および売り場端末の情報を集中的に管理する集中管理装置を備えた駐輪情報活用システムであって、前記駐輪場装置は、利用者が自転車の入場の際、駐輪場の入口で会員カードまたは手入力により会員ＩＤを入力するとともに、入力時の時間を入場時刻として取得する入口側入出力装置と、前記入口入力装置よりの入力に基づき、少なくとも前記会員ＩＤ、入場時刻および利用日を印字した駐輪券を発行する発券装置と、利用者が自転車の退場の際、駐輪場の出口で前記駐輪券より会員ＩＤを入力するとともに、入力時の時間を退場時刻として取得し、かつ、駐輪時間を表示する出口側入出力装置と、を備え、また、前記売り場端末は、利用者が立ち寄って買い物をした際、前記会員カードまたは駐輪券より前記会員ＩＤを読取るとともに、精算時の精算情報、売り場ＩＤおよび売り場立寄り時刻を取得するレジを備え、さらに、前記集中管理装置は、前記入場および退場時刻より前記駐輪時間を算出して前記出口側入出力装置に送信するとともに、前記入場時刻、退場時刻、売り場ＩＤおよび売り場立寄り時刻を集中して管理し、かつ、前記利用日ごとに、前記会員ＩＤ別に、前記時刻にてソートし、入場から退場までに立寄った売り場ＩＤおよび時刻を管理する中央処理装置を備えた、ことを特徴とする。
【発明の効果】
【０００９】
本発明の駐輪券発行システムによれば、駐輪場の入口側入出力端末で入場時刻を取得して駐輪券を発行し、出口側入出力装置で退場時刻を取得し、かつ、利用者が売り場に立寄ったときの売り場ＩＤおよび売り場立ち寄り時刻を売り場端末にて取得するようにしたので、利用者（会員顧客）の不正駐輪の防止が図れるという効果がある。
また、入口側入出力装置に、会員以外の同伴者用の駐輪券の発券手段を設けるようにすれば、会員以外の駐輪場への入場および退場が可能となる。
また、本発明の駐輪情報活用システムによれば、駐輪場の入口側入出力端末で入場時刻を取得して駐輪券を発行し、出口側入出力装置で退場時刻を取得し、かつ、利用者が売り場に立寄ったときの売り場ＩＤおよび売り場立ち寄り時刻を売り場端末にて取得し、さらに、集中管理装置にて、利用日ごとに、会員ＩＤ別に、前記入場および退場時刻並びに売り場立ち寄り時刻などの時刻にてソートし、入場から退場までに立寄った売り場および時刻を管理するため、店内における利用者（会員）の流れが把握でき、かつ、不正駐輪の防止が図れるという効果がある。
【発明を実施するための最良の形態】
【００１０】
以下、本発明の実施の形態による駐輪券発行システムを図１ないし図９に基づき説明する。
【００１１】
図１は、本発明の駐輪券発行システム全体の概要を示す説明図であって、駐輪場装置１と、店舗装置２とに大別される。
【００１２】
駐輪場装置１は、入口側入出力装置３と、入口側のスキャナ４と、発券装置５と、出口側入出力装置６と、出口側のスキャナ７と、を備え、前記各装置は、ＬＡＮ８により接続されている。
入口側入出力装置３には、タッチパネル９が設けられており、後述する入口側のスキャナ４により読み込まれた図示省略の会員カードの会員ＩＤ、もしくは、会員カード忘れなどにより手入力で会員ＩＤが入力できるようになっており、かつ、入力された前記会員ＩＤに基づく情報が表示されるようになっている。
スキャナ４は、会員ＩＤ付きの会員カード（図示省略）を読み取るためのものであって、スキャナ４により読み取られた会員ＩＤに基づき、前記タッチパネル９を介して会員か否かのチェックが可能なようになっている。なお、図示省略の会員カードの会員ＩＤは、例えば、バーコードや２次元コードなどが採用可能である。
また、発券装置５は、後述する駐輪券を発行するための装置であって、前記タッチパネル９より入力された会員ＩＤに基づく照会（チェック）の結果、会員と判定された場合に発券されるようになっている。
出口側入出力装置６には、入口側入出力装置３と同様、タッチパネル１０が設けられており、後述する出口側のスキャナ７により読み込まれた後述の駐輪券の会員ＩＤに基づき駐輪時間を表示するようになっている。
【００１３】
店舗装置２は、各売り場端末１１としてのレジ１１ａ、１１ｂ、１１ｃと、集中管理装置１２とを備え、この集中管理装置１２には、前記駐輪場装置１がＬＡＮ８を介して接続されている。
集中管理装置１２は、売り場端末１１とＬＡＮ８により接続され、各レジ１１ａ、１１ｂ、１１ｃにおける販売時点管理のほか、後述の時間管理を行っている。
また、各レジ１１ａ、１１ｂ、１１ｃにおいては、精算時、利用客（会員）の会員ＩＤのほか、精算時点の時刻が売り場端末ＩＤとともに取得され、集中管理装置１２に記憶されるようになっている。
【００１４】
次に、主に、図２に従い、集中管理装置１２に接続される記憶装置１３につき説明する。
なお、集中管理装置１２には、前述したように販売時点管理の情報も記憶されるが、本発明の主体ではないため、その詳説を省略する。
記憶装置１３には、主に、入場データ・ファイル１４、退場データ・ファイル１５、売り場端末データ・ファイル１６、およびバックアップ・ファイル１７が設けられており、前記入力側入出力装置３、出口側入出力装置６および売り場端末１１を介して入力される時刻情報などが記憶される。
【００１５】
入場データ・ファイル１４は、主に、入退場区分１４ａ、会員ＩＤ１４ｂ、入場日時１４ｃ、ゲート番号１４ｄおよび管理番号１４ｅの項目に区分され、前記駐輪場装置１の入力側入出力装置３、スキャナ４あるいはタッチパネル９より入力があったときに、各々記憶される。なお、入退場区分１４ａには、「入場」の区分が記憶される。また、管理番号には、例えば、年月日と連番を組合わせた任意の番号「ｙｙｙｙｍｍｄｄ−ｎｎｎｎｎ」（但し、ｙｙｙｙは西暦４桁、ｍｍは月、ｄｄは日、ｎｎｎｎｎは連番）が採用可能であり、集中管理装置１２にて自動的に更新されるようになっている。
【００１６】
退場データ・ファイル１５は、主に、入退場区分１５ａ、会員ＩＤ１５ｂ、退場日時１５ｃ、ゲート番号１５ｄおよび管理番号１５ｅの項目に区分され、前記駐輪場装置１の出口側入出力装置６、スキャナ７より入力があったときに、各々記憶される。なお、入退場区分１５ａには、「退場」の区分が記憶される。その他の各項目は、入場データ・ファイル１４と同様につき、説明を省略する。
【００１７】
売り場端末データ・ファイル１６は、主に、データ区分１６ａ、会員ＩＤ１６ｂ、立寄り時刻１６ｃ、売り場ＩＤ１６ｄおよび管理番号１６ｅの項目に区分され、前記店舗装置２の売り場端末１１の各レジ１１ａ、１１ｂ、１１ｃより入力があったときに、各々記録される。データ区分１６ａには、「売り場」の区分が記載され、会員ＩＤには、精算時に会員カード（図示省略）または後述の駐輪券より読取られた会員ＩＤが、また、立寄り日時１６ｃには精算時の日時が、さらに、売り場ＩＤ１６ｄには、精算時のレジＩＤが、各々記憶される。管理番号１６ｅは、入場データ・ファイル１４と同様につき、説明を省略する。
【００１８】
バックアップ・ファイル１７は、各装置よりのログイン、あるいは、ログアウト時の前記各ファイル１４、１５、１６の記憶時に、バックアップ用として同様に記憶される。
【００１９】
次に、主に、図３ないし図７に基づき、入場時の手順につき説明する。
【００２０】
図３は、入口側入出力装置３のタッチパネル９のメイン画面の概略説明図であって、タッチパネル９は、表示エリア２０と入力エリア２１に大別される。
表示アリア２１には、駐輪券の受取りを促す第１の案内表示部２０ａ（図示の例では、「いらっしゃいませ（駐輪券をお持ち下さい）」のメッセージ）と、図示省略の会員カードのセットを促す第２の案内表示部２０ｂ（図示の例では、「〔会員カード〕を下の台に置いて下さい」のメッセージ）と、入場者数表示部２０ｃが形成されている。なお、第１の案内表示部２０ａには、アラームやエラーのメッセージを表示可能であり、会員カード（図示省略）が読めなかった場合など、例えば、「枠内に会員カードを置き直して下さい。」というメッセージを表示する。
入力エリア２１には、同伴１名入力部２２と、同伴２名入力部２３と、忘れ・無し入力部２４と、手入力部２５と、発行入力部２６と、業務終了入力部２７とが形成されている。
同伴１名入力部２２は、会員が連れてきた会員以外の同伴者、例えば、家族や友達が１名の場合に押下するボタン、同伴２名入力部２３は、同様に２名の場合に押下するボタンである。
また、入場者数表示部２０ｃには、本日駐輪場を利用した人数（何人目の利用者か）が表示されるようになっている。
忘れ・無し入力部２４は、会員カード（図示省略）を持参忘れ、または無い人用のボタンであり、押下によって後述するカード無しの場合の駐輪券を発行する。
また、手入力部２５は、手入力により駐輪券を発行する人のボタンであり、押下すると後述の手入力画面を表示する。
発行入力部２６の押下により、後述する駐輪券が発券される
また、業務終了入力部２７は、押下されるとアプリケーションを終了し、入口側入出力装置３を終了するようなっている。
【００２１】
次に、図４に基づき、手入力画面につき説明する。
前記タッチパネル９の前記メイン画面の手入力部２５が押下されると、この手入力画面３０が表示される。入力画面３０には、案内表示部３１と、会員ＩＤ入力部３２と、確定入力部３３と、終了入力部３４とが形成されている。案内表示部３１は、利用者（駐輪者）に対するメッセージ（図示の例では、「会員ＩＤを入力して下さい。」のメッセージ）が表示される。
会員ＩＤ入力部３２は、会員ＩＤが入力されるエリアである。
確定入力部３３は、手入力の確定時に押下するボタンであり、押下されると後述の駐輪券を発行する。
終了入力部３４が押下されると、駐輪券を発券することなく手入力を終了する。
【００２２】
次に、図５ないし図７に基づき駐輪券を説明する。
図５は、会員カードありの駐輪券４０の例示であり、発行元名４１（図示の例では、「○△問屋」の文字）、券の名称４２（図示の例では、「駐輪券」の文字）、コード４３（図示の例では、「９９９９９９９−９９」の数字）、バーコード４４、発行日４５（図示の例では、「２００３年１０月１日のみ有効」の文字）、入場時間４６（図示の例では、「００：００」の数字）、管理番号４７（図示の例では、２００３１００１−９９９９９）の数字）が印字されている。
コード４３には、図示省略の会員カードより読取られた会員ＩＤが印字される。
バーコード４４は、前記会員ＩＤをバーコード化して印字する。
発行日４５には、駐輪をする本日日付を印字する。
入場時間４６には、タッチパネル９よりの入力時間を印字する。
管理番号４７には、発行日付の西暦８桁と、集中管理装置１２で自動更新された管理番号を印字する。
この駐輪券４０は、入口側入出力装置３に図示省略の会員カードをセットしてタッチパネル９の発行入力部２６を押下したときに発券装置５より出力されるものであり、上記各印字項目は、集中管理装置１２の記憶装置１３の各項目に記憶するタイミングで印字される。
【００２３】
図６は、会員カードありで、かつ、同伴者を伴った同伴者用の駐輪券５０であり、上記会員カードありの駐輪券４０と基本的に同様のフォーマットであり、異なっている点は、券の名称５２が「駐輪券（同伴券）となっている点と、コード５３およびバーコード５４の印字項目の会員ＩＤのハイフンに続き、同伴者の枝番が発生する点である。他の項目は、先の駐輪券４０と同様につき、説明を省略する。
この会員カードありの駐輪券５０は、入口側入出力装置３に図示省略の会員カードをセットし、同伴者数に応じてタッチパネル９の同伴１名入力部２２または同伴２名入力部２３を押下したときに発券装置５より出力される。
【００２４】
図７は、会員カード無しの駐輪券６０であり、上記会員カードありの駐輪券４０と基本的に同様のフォーマットであり、異なっている点は駐輪券４０のコード４３に該当する印字項目が、西暦日付８桁とハイフン以下が内部振分番号で表される整理番号６３となっている点と、バーコード６４が、先頭「Ｏ」、以下、西暦８桁、整理番号の連番およびチェックデジットで表されている点である。他の項目は、先の駐輪券４０と同様につき、説明を省略する。
この会員カード無しの駐輪券６０は、入口側入出力装置３のタッチパネル９の忘れ・無し入力部２４を押下したときに発券装置５より出力される
【００２５】
次に、図８に基づき、退場時の手順につき説明する。
図８は、出口側入出力装置６のタッチパネル１０のメイン画面の概略説明図であって、タッチパネル１０には、退場者数表示部７１と、駐輪券のセットを促す案内表示部７２（図示の例では、「下の台に駐輪券を置いて下さい」のメッセージ）と、業務終了入力部７３とが形成されている。
退場者数表示部７１には、今日の何人目の退場者かを表示する。
業務終了入力部７３が押下されると、アプリケーションを終了し、出口側入出力装置６を終了するようなっている。なお、案内表示部７２には、アラームやエラーのメッセージを表示可能であり、駐輪券が読めなかった場合など、例えば、「枠内に駐輪券を置き直して下さい。」というメッセージを表示する。
そして、駐輪券がセットされてスキャナ７にて正常に読取られると、前記記憶装置１３の退場データ・ファイル１５の退場時刻１５ｃに現在時間を記憶するとともに、該当会員ＩＤの入場時刻１４ｃを取得して退場時刻１５ｃと入場時刻１４ｃの差を求め、かつ、図９の時間表示画面８０を自動的に表示するようになっている。
【００２６】
図９の時間表示画面８０は、案内表示部８１と戻り入力部８２とより構成され、案内表示部８１には、案内表示８３（図示の例では、「毎度有り難うございます」のメッセージ）と駐輪時間８４（図示の例では、「駐輪時間２時間３５分」の文字）が表示される。
駐輪時間８４には、前記退場時刻１５ｃと入場時刻１４ｃより算出された差を表示する。
戻り入力部８２が押下されると、元の案内表示部７２などが表示されたメイン画面に戻る。
なお、この時間表示画面８０の表示は、一定以上の時間が経つと自動的にメイン画面に戻るようになっている。
また、前記退場時刻１５ｃと入場時刻１４ｃの差の算出時、入場時のデータが存在しない場合や駐輪が日をまたがって行われたような場合、駐輪時間８４には、「？？時間？？分」が表示される。
【００２７】
次に、図１０ないし図１１に基づき、駐輪情報活用システムを説明する。
図１０は、同システムの概略説明図であり、集中管理装置１２の記憶装置１３の入場データ・ファイル１４、退場データ・ファイル１５および売り場端末データ・ファイル１６を使用し、集中管理装置１２を使ってマージ（結合）およびソートを行い、ワークファイル９０を作成している。ソートの第１のキイとしては、入場日時１４ｃ、退場日時１５ｃ、および立寄り日時１６ｃ、第２のキイとしては、会員ＩＤ１４ｂ、１５ｂ、１６ｂ、さらに、第３のキイとしては、入退場区分１４ａの「入場」、データ区分１６ａの「立寄り」、および入退場区分の「退場」でソートする。
さらに、集中管理装置１２を使って移動状況リスト９１を作成することを示している。
【００２８】
図１１は、移動状況リスト９１の一例を示す図であり、抽出該当日付９２（図示の例では、「２００３年１０月０１日分」の文字）ごと、かつ会員ＩＤ９３ごとにまとめられ、入場／売り場／退場区分９４、ゲートＮＯ／売り場名、時刻９６および備考９７の各項目が印字されている。
【００２９】
上述したように駐輪場の入口側入出力端末３で入場時刻を取得して駐輪券４０を発行し、出口側入出力装置６で退場時刻を取得し、かつ、利用者が売り場に立寄ったときの売り場ＩＤおよび売り場立ち寄り時刻を売り場端末１１にて取得するようにしたので、利用者（会員顧客）の不正駐輪の防止が図れるものである。
また、入口側入出力装置３で会員以外の同伴者駐輪券５０の発券ができるため、会員以外の駐輪場への入退場が可能となる。
さらに、駐輪場の入口側入出力端末３で入場時刻を取得して駐輪券４０を発行し、出口側入出力装置６で退場時刻を取得し、かつ、利用者が売り場に立寄ったときの売り場ＩＤおよび売り場立ち寄り時刻を売り場端末１１にて取得し、さらに、集中管理装置１２にて、利用日（入場日時１４ｃや退場日時１５ｃの日付部分）ごとに、会員ＩＤ別に、前記入場時刻（入場日時１４ｃの時刻部分）および退場時刻（退場日時１４ｃの時刻部分）並びに売り場立ち寄り時刻などの時刻にてソートし、入場から退場までに立寄った売り場および時刻を管理するため、店内における利用者（会員）の流れが把握できるので顧客の流れに沿った売り場の配置変換時の情報として活用でき、かつ、入退場時刻と売り場への立寄り時刻とにより店内における滞在時間が把握できるため不正駐輪の防止が図れるものである。
【００３０】
なお、説明の都合上、上記実施の形態においては、駐輪場装置１および店舗装置２の売り場端末１１をＬＡＮ８を介して集中管理装置１２へ接続した例で説明したがこれに限定されないことは勿論であり、駐輪場装置１に単独の「サーバー」を設けて駐輪場の時間情報の取得を行い、バッチ処理で集中管理装置１２へ駐車場の時間情報を送信することも可能である。
駐輪場装置１と店舗装置２とを切り離すことにより集中管理装置１２の負荷が低減されるとともに、出入口の増加などの変更時、駐輪場装置１単独での変更が容易となり、集中管理装置１２への影響を皆無にできるものである。      
【００３１】
上記実施の形態の構成及び動作は例であって、本発明の趣旨を逸脱しない範囲で適宜変更することができることは言うまでもない。 
【図面の簡単な説明】
【００３２】
【図１】本発明に係る駐輪券発行システムの一実施の形態によるシステム全体の概略説明図である。
【図２】同、集中管理装置に接続される記憶装置の概略説明図である。
【図３】同、入口側入出力装置のタッチパネルのメイン画面の概略説明図である。
【図４】同、手入力画面の概略説明図である。
【図５】同、会員カードあり時の駐輪券の概略説明図である。
【図６】同、同伴者用の駐輪券の概略説明図である。
【図７】同、会員カード無し時の駐輪券の概略説明図である。
【図８】同、出口側入出力装置のタッチパネルのメイン画面の概略説明図である。
【図９】同、時間表示画面の概略説明図である。
【図１０】本発明に係る駐輪情報活用システムの一実施の形態によるシステム全体の概略説明図である。
【図１１】同、移動状況リストの概略説明図である。
【符号の説明】
【００３３】
１    駐輪場装置
２    店舗装置
３    入口側入出力装置
４    入口側スキャナ
５    発券装置
６    出口側入出力装置
７    出口側スキャナ
８    ＬＡＮ
１１  売り場端末
１２  集中管理装置
１３    記憶装置
１４ｂ  会員ＩＤ
１６ｃ  立寄り時間
１６ｄ  売り場ＩＤ
【図１】
2005128957.tif 000003
【図２】
2005128957.tif 000004
【図３】
2005128957.tif 000005
【図４】
2005128957.tif 000006
【図５】
2005128957.tif 000007
【図６】
2005128957.tif 000008
【図７】
2005128957.tif 000009
【図８】
2005128957.tif 000010
【図９】
2005128957.tif 000011
【図１０】
2005128957.tif 000012
【図１１】
2005128957.tif 000013